(57)【特許請求の範囲】
【請求項１】
一方が開口する中空の軸部と該中空軸部の開口端部に形成されたフランジとを備え且つ被取付部材の取付穴に係止した軸部内部にねじ部材をねじ込む構成のグロメットを使用する留め具において、
前記グロメットの軸部を受入れるように一方が開口する中空の軸部と該中空軸部の開口端部に形成されたフランジとから成るキャップを包含し、該キャップ軸部は、被取付部材の取付穴に係止したグロメット軸部に、その閉鎖端部側からグロメットフランジ側に押込むことによって係止するように構成され、前記グロメットフランジが被取付部材の一方の面に接面することができ、前記キャップフランジが被取付部材の他方の面に接面することができることを特徴とする留め具。
【請求項２】
請求項１に記載の留め具において、前記グロメット軸部の外面に、前記キャップ軸部がグロメット軸部にキャップフランジが被取付部材に接面するまで押込まれた状態を維持するための係止部が形成され、前記キャップ軸部内面に、前記押込み状態を維持するために前記グロメット軸部の係止部に係止する係止部が形成されていることを特徴とする留め具。
【請求項３】
請求項２に記載の留め具において、前記グロメット軸部の閉鎖端部側の外面には弾性係合部が形成され、前記キャップ軸部の閉鎖端部側の中空部は、前記グロメット軸部の弾性係合部と弾性係合する直径に形成されていることを特徴とする留め具。
【請求項４】
請求項１〜３のいずれか１項に記載の留め具において、前記キャップ軸部には、前記フランジに近い位置に、押圧用平板部が形成されていることを特徴とする留め具。
【請求項５】
請求項１〜４のいずれか１項に記載の留め具において、前記グロメットフランジには、被取付部材に接面する側にシール用弾性材が取付けられていることを特徴とする留め具。
【請求項６】
請求項１〜５のいずれか１項に記載の留め具において、前記キャップフランジには、被取付部材に接面する側にシール用弾性材が取付けられていることを特徴とする留め具。
【発明の詳細な説明】
【０００１】
【産業上の利用分野】
本発明は、一方が開口した中断軸部と開口端部のフランジとから成り、被取付部材の取付穴に係止した軸部の内部にねじ部材をねじ込む構成のグロメットを使用する留め具に関する。
【０００２】
【従来の技術】
一方が開口した中断軸部と開口端部のフランジとから成り、被取付部材の取付穴に係止した軸部の内部にねじ部材をねじ込む構成のグロメットは、例えば、実開昭６３−１１５９０７号公報に見られるように公知である。前記公報に記載の留め具は、グロメット軸部を被取付部材であるパネルＰ１の取付穴に挿入してパネルＰ１に係止させ、取付部材であるパネルＰ２の取付穴を通ったねじ部材を中空軸部にねじ込んで中空軸部を拡膨させてパネルＰ１への固定を高めると共に、パネルＰ２をねじ部材の頭部とグロメットフランジによって強固に保持して、パネルＰ１にパネルＰ２を取付けている。グロメットは、被取付部材であるパネルＰ１が薄くても取付部材であるパネルＰ２をねじ部材によって取付けられる利点がある。また、上記公報に記載のグロメットに、フランジ縁部に姿勢保持リブを形成し、また、フランジにはシール部材を設けて、取付安定性と密封性を向上している。
【０００３】
【発明が解決しようとする課題】
上記公知のグロメットは、取付安定性と密封性の向上を図っているが、グロメットフランジのリブが接面するのは被取付部材の片面だけであって取付安定性の点で改良の余地があり、また、シール部材が当接するのは被取付部材の片面だけであるので、シール性の点でも改良の余地がある。特開平５−２４０２２５号公報には、グロメットの外側にシール袋体を被せて組み付けを容易にしシール性を改良する留め具が開示されている。この留め具は、シール袋体によってシール性が向上しているが、グロメットフランジ部分のシール袋体フランジが接面するのは被取付部材の片面だけであって取付安定性の点で改良の余地がある。また、実開昭５３−３２２７６号公報には、リング状鍔部材と、中空軸部とフランジとから成り且つ前記リング状鍔部材に係止する固定具主体とから成る留め具が開示されている。この留め具では、被取付部材Ｐの取付穴に一方の側（下面）側から固定具主体を挿入し、他方の側（上側）からリング状鍔部を押込んで固定具主体に連結して、被取付部材の両側から保持し、固定具主体の中空軸部にねじ部材をねじ込むことによって取付部材Ｐ′被取付部材Ｐに取付ける。この留め具は、固定具主体とリング状鍔部材の２つの部品が連結されなければ１つの留め具として機能せず、そのため被取付部材への取付けのためには、固定具主体にリング状鍔部材を連結する作業を必要としており、取付け作業性の点で改良の余地がある。
【０００４】
従って、本発明の目的は、通常のグロメットと同様に取付け作業性がよく、取付安定性もシール性も高く維持できる留め具を提供することにある。
【０００５】
【課題を解決するための手段】
かかる目的を達成するため、本発明によれば、一方が開口する中空の軸部と該中空軸部の開口端部に形成されたフランジとを備え且つ被取付部材の取付穴に係止した軸部内部にねじ部材をねじ込む構成のグロメットを使用する留め具であって、前記グロメットの軸部を受入れるように一方が開口する中空の軸部と該中空軸部の開口端部に形成されたフランジとから成るキャップを包含し、該キャップ軸部は、被取付部材の取付穴に係止したグロメット軸部に、その閉鎖端部側からグロメットフランジ側に押込むことによって係止するように構成され、前記グロメットフランジが被取付部材の一方の面に接面することができ、前記キャップフランジが被取付部材の他方の面に接面することができることを特徴とする留め具が提供される。これによって、グロメットを被取付部材へ取付けるには、グロメット軸部を被取付部材の取付穴に挿入するだけで行うことができ、キャップは被取付部材に係止したグロメット軸部を受入れるように押込むことによって取付けられ、取付け作業は簡単であり、グロメットフランジが被取付部材の一方の面に接面しキャップフランジが被取付部材の他方の面に接面するので、取付けの安定性は高くしかも被取付部材の両側にフランジがあるので、被取付部材の取付穴の密封性すなわちシール性も高く維持できる。
【０００６】
上記留め具において、グロメット軸部の外面に、キャップ軸部がグロメット軸部にキャップフランジが被取付部材に接面するまで押込まれた状態を維持するための係止部が形成され、キャップ軸部内面に、押込み状態を維持するためにグロメット軸部の係止部に係止する係止部が形成されている。この留め具において、グロメット軸部の閉鎖端部側の外面には弾性係合部が形成され、キャップ軸部の閉鎖端部側の中空部は、グロメット軸部の弾性係合部と弾性係合する直径に形成されている。
また、上記留め具において、キャップ軸部には、フランジに近い位置に、押圧用平板部が形成されている。グロメットフランジには、被取付部材に接面する側にシール用弾性材が取付けられている。キャップフランジには、被取付部材に接面する側にシール用弾性材が取付けられている。
【０００７】
【発明の実施の形態】
以下、本発明の実施例について、図面を参照しながら説明する。本発明に係る留め具は、図１〜図６に示すグロメット１と、図７〜図９に示すキャップ２とから構成される。グロメット１及びキャップ２は、それぞれ、プラスチックで一体成形される。図１０は、グロメット１とキャップ２とから成る本発明に係る留め具３と、ねじ部材であるタッピンねじ５とを用いて、被取付部材であるパネル６及び７に、取付部材であるインシュレータ（断熱部材または遮音部材）９を固着した様子を示している。図１０に明らかなように、グロメット１は、パネル６、７の一方の側から取付穴１０に挿入され、キャップ２は、パネル６、７から延び出たグロメット部分に被さるようにパネル６、７の他方の側から押込まれてグロメット１に連結されて、留め具３を構成する。この留め具３は、パネル６、７を両側から確実に且つ強固に保持するので、取付けの安定性が高く取付穴の密封性すなわちシール性も高く維持でき、インシュレータ９の保持力も大きい。
【０００８】
図１〜図６を参照してグロメット１の詳細を説明する。グロメット１は、一方が開口し他方が閉鎖する中空の軸部１１と中空軸部の開口端部に形成されたフランジ１３とから成る。軸部９は、被取付部材であるパネルの取付穴の角穴形状に合わせて、その角穴よりやや小さい大きさの矩形断面を持つ角筒形状に形成されて、取付穴への挿入は容易であるが、パネルへ取付けた後にはタッピンねじのねじ込みによって共回りしないようにしてある。フランジ１３は、被取付部材であるパネルの取付穴より半径方向外側に張出しており、軸部９を取付穴に挿入するとパネルの一方の面に確実に当接する大きさに形成されている。グロメット軸部１１の中空部１４は、タッピンねじを受入れてねじ込みによってねじ切りされるように、タッピンねじの外径よりやや小径に形成され、また、タッピンねじのねじ込みによってグロメット軸部１１の外径を拡膨する方向に変形し易いように、中空部１４の矩形の４つの角部分に、半径方向外側に且つ長手方向に延びるスリット１５が形成されている。この中空部１４の長さはタッピンねじが収容できる長さであればよい。
【０００９】
軸部１１は、フランジ１３に隣接する部分１６がやや細く形成されて、弾性シール１２（図２に示す）が取付けられるシール保持部分１６となっている。このシール保持部分１６から閉鎖端部側すなわち先端側は太く形成され、この太い軸部部分には、被取付部材であるパネル６（図１０参照）の裏面に係合してグロメット１をパネルに押込むだけで仮止めできる突部１７が形成されている。なお、突部１７は弾性シール１２を保持する機能も有する。突部１７から閉鎖端部側すなわち先端側に向けて軸部１１は少しずつ細くなるようにテーパして、パネル取付穴への挿入を容易にしている。軸部１１の、中空部１４より先の先端部１８は細く且つ球形状に形成されて、パネル取付穴への挿入を更に容易にしている。軸部１１の外面には、突部１７に隣接する位置に、キャップ軸部がグロメット軸部を受入れてキャップフランジが被取付部材に接面するまで押込まれた状態を維持するための係止部としての係止凹部１９が、４つの角部分に形成されている。係止凹部１９にキャップ軸部の係止部が係合することによって、キャップ２がグロメット軸部１１に連結される。更に、グロメット軸部１１の閉鎖端部側である先端部１８はほぼ球状に形成されて、その中央には穴２２が形成されている。これによって、先端部１８は縮径方向に撓み得るようになっていて、キャップ軸部の対応する部分に摩擦係合する弾性係合部を形成している。これによって前記の係止部による連結が車の振動等によって外れた場合にも、キャップ２がグロメット１から分離しないで留まるようにするもので、キャップ２がグロメット１から脱落するのを防止している。
【００１０】
キャップ２について、図７〜図９を参照しながら説明する。キャップ２は、グロメット１の軸部１１をすっぽり包んで受入れるように、一方が開口し他方が閉鎖する中空部２３が形成された中空の軸部２５と、この軸部２５の開口端部に形成されたフランジ２６とから成る。キャップ２には、フランジ２６より少し離れた位置に補助フランジ２７が形成され、フランジ２６と協働して図７〜９に示す弾性シール２９を保持する保持枠を形成している。なお、補助フランジ２７は、弾性シール２９をパネル側に押圧するように、その外縁部がフランジ２６より大きく且つフランジ２６の側に傾くように張出している。キャップ軸部２３は、パネル取付穴に係止したグロメット軸部１１のパネルから延び出る部分を受入れるように、グロメット軸部１１の閉鎖端部側すなわち先端部１８の側からグロメットフランジ１３の側に押込むことによって、グロメット軸部１１を包んだ状態で該グロメット軸部１１に連結される。このため、キャップ軸部２５は、開口端部から反対側の閉鎖端部すなわち先端部までその全体が中空に形成されている。また、キャップ軸部２５の中空部２３の断面形状は、グロメット軸部１１の外形に合わせて開口端部から中間位置までが４角形に形成され、そこから先端までの先端部分２４は、グロメット軸部１１の先端部１８に合わせて円形に形成されている。
【００１１】
キャップ軸部２５の中空部２３の開口端部には、キャップ軸部２５がグロメット軸部１１にキャップフランジ２６がパネル接面するまで押込まれた状態を維持するために、グロメット軸部１１の係止凹部１９に係止する、係止部となる係止突部３０が、係止凹部１９の数と形状に対応して形成されている。更に、キャップ軸部２５の中空部２３の閉鎖端部側すなわち先端部分２４の直径は、グロメット軸部１１の弾性係合部となる先端部１８に弾性的に摩擦係合する内壁を提供する大きさに形成されており、係止部１９及び３０による連結が車の振動等によって外れた場合にも、キャップ２がグロメット１から分離しないで留まり、キャップ２がグロメット１から脱落するのを防止している。更に、キャップ軸部２５には、フランジ２６に近い位置であるが先端部２４の側に、指等で押圧し易いように押圧用平板部３１が形成されている。押圧用平板部３１とフランジ２６側の軸部２５の間には補強リブ３３が形成されて、押圧用平成部３１の軸部への連結強度を高く維持している。押圧用平成部３１の形状は、図８に示すように、指によって軸部２５を保持しながグロメット軸部１１に押込むのに適した形状に形成されている。しかし、押圧に適するのであれば、他の任意の形状にすることができる。
【００１２】
グロメット１とキャップ２から成る本発明の留め具３を用いて、被取付部材であるパネル６、７に、取付部材であるインシュレータ９を固着する操作について図１０を参照しながら説明する。グロメット１には、図２に図示のように、フランジ１３に隣接して弾性シール１２が保持されている。また、キャップ２には、図７に図示のように、フランジ２６及び補助フランジ２７から成る保持枠に弾性シール２９が保持されている。先ず、被取付部材であるパネル６、７（パネルの枚数は、２枚に限るものではなく、３枚以上で、１枚であってもよい）の取付穴１０に、パネル７の側からグロメット１の軸部１１を挿入し、フランジ１３を弾性シール１２とともにパネル７に接面させる。軸部１１の仮止め用突部１７（図１、２参照）が取付穴１０の縁部に係止してグロメット１はパネル６、７に仮止めされる。次に、キャップ２の軸部２５を指で保持して、押圧用平板部３１に力を加えてパネル６の側からキャップ２を、キャップ軸部２５の中空部２３にグロメット軸部１１を受入れながら押込む。キャップフランジ２６がパネル６に接面し、弾性シール２９が補助フランジ２７の押圧力を受けてパネル６に接面する。このとき、キャップ軸部２５の中空部２３の開口端部の突部３０が、グロメット軸部１１の係止凹部１９に係止して、キャップ軸部２５がグロメット軸部１１にキャップフランジ２６がパネル接面するまで押込まれた状態を維持する。これによって、パネル６、７に留め具３が取付けられる。この後、留め具３のグロメット１の中空軸部１１の中空部１４に、取付部材であるインシュレータ９の取付穴３４を整合させた状態に保持して、タッピンねじ５を、取付穴３４から挿入して中空部１４にねじ込む。このねじ込みによって、タッピンねじ５の軸部は中空軸部１１内をねじ切りしながら進んでいき、タッピンねじ５の頭部３５がインシュレータ９に接面して、インシュレータ９をパネル６、７に固着させる。タッピンねじの軸部が中空軸部１１に進入することによって、この軸部部分は半径方向外方に拡膨してキャップ軸部２５の内壁に強く当接して、グロメット１とキャップ２との連結強度を一層強固にする。また、これによって、弾性シール１２及び弾性シール２９は、それぞれ、パネル７及びパネル６に強固に当接して、そのシール性能を高く維持する。このように、グロメット１のフランジ１３がパネルの一方の面から強く当接し、キャップ２のフランジ２６パネルの他方の面から強く当接するので、留め具３のパネルへの固定は安定して強固であり、パネルの両側からシールを行うので高い密封力を得ることができる。この場合、グロメット軸部もキャップ軸部も開口端部を除いて閉鎖しており、水漏れ等の不具合を生ずる惧れはない。
【００１３】
【発明の効果】
本発明によれば、グロメットを被取付部材へ取付けるには、グロメット軸部を被取付部材の取付穴に挿入するだけで行うことができ、キャップは被取付部材に係止したグロメット軸部を受入れるように押込むことによって取付けられ、取付け作業は簡単であり、グロメットフランジが被取付部材の一方の面に接面しキャップフランジが被取付部材の他方の面に接面するので、取付けの安定性は高く維持され、しかも被取付部材の両側にフランジがあるので、被取付部材の取付穴の密封性すなわちシール性も高く維持できる。
【図面の簡単な説明】
【図１】  本発明に係るグロメットの平面図である。
【図２】  図１のグロメットの正面図である。
【図３】  図２のグロメットの左側面図である。
【図４】  図２のグロメットの右側面図である。
【図５】  図４のグロメットのＡ−Ａ線断面図である。
【図６】  図４のグロメットのＢ−Ｂ線断面図である。
【図７】  本発明に係るキャップの半断面正面図である。
【図８】  図７のキャップの左側面図である。
【図９】  図７のキャップの右側面図である。
【図１０】  本発明に係る留め具を用いてパネルにインシュレータを取付けた様子を示す半断面正面図である。
【符号の説明】
１  グロメット
２  キャップ
３  留め具
５  タッピンねじ
６、７  パネル
９  インシュレータ
１１  グロメット軸部
１２  弾性シール
１３  グロメットフランジ
１４  グロメット軸部の中空部
１６  シール保持部分
１７  仮止め用突部
１８  グロメット軸部の先端部
１９  係止凹部
２３  キャップ軸部の中空部
２４  キャップ軸部の先端部
２５  キャップ軸部
２６  キャップフランジ
２７  補助フランジ
２９  弾性シール
３０  係止突部
３１  押圧用平板部
【図１】
0004171579.tif 000002
【図２】
0004171579.tif 000003
【図３】
0004171579.tif 000004
【図４】
0004171579.tif 000005
【図５】
0004171579.tif 000006
【図６】
0004171579.tif 000007
【図７】
0004171579.tif 000008
【図８】
0004171579.tif 000009
【図９】
0004171579.tif 000010
【図１０】
0004171579.tif 000011